(57)【要約】【課題】大きな子供が子供用椅子に座って降りることができない場合等に、容易に降りることができるようにした、簡素な構造の保護枠とそれを備えたシートを提供する。【解決手段】フレーム１００と、シート型に形成されていてフレームの前面上部を覆う上カバー２００と、フレームの前面下部を覆う下カバー３００と、上カバーの座部２１０に着座した子供の動作を規制する保護枠４００と、を備えたシート１０で、保護枠４００が、フレームに固定した手摺り枠４１０と、手摺り枠に枢着した股ガード４２０とを備え、股ガード４２０の一端部は手摺り枠４１０を把持し、股ガード４２０の他端部をフレーム１００に取り外し可能に取り付け、股ガード４２０の他端部をフレーム１００から外すと、股ガード４２０を手摺り枠４１０まわりに回動させることができる。【選択図】図２
2007236490.tif 000002
【特許請求の範囲】
【請求項１】
シート型のカバーで覆われたフレームに、上記カバーの座部に着座した子供の動作を規制する保護枠を取り付ける構造であって、
上記保護枠が、上記フレームに固定した手摺り枠と、上記手摺り枠に枢着した股ガードと、を備えており、
上記股ガードの一端部は上記手摺り枠を把持し、上記股ガードの他端部は上記フレームに取り外し可能に取り付けられていて、
上記股ガードの他端部を上記フレームから外すと、上記股ガードを上記手摺り枠まわりに回動させることができることを特徴とする、保護枠取付構造。
【請求項２】
前記カバーに前記手摺り枠の各端部を通す一対の穴が形成されており、
前記手摺り枠が、各端部を前記フレームに固定されると共に、上記穴に挿入した部位を前記カバーに支持されていて、
前記股ガードの他端部を前記フレームから外しても、前記手摺り枠が一定の姿勢を維持することを特徴とする、請求項１に記載の保護枠取付構造。
【請求項３】
前記股ガードの他端部が前記フレームにボルトにより連結されていることを特徴とする、請求項１又は２に記載の保護枠取付構造。
【請求項４】
フレームと、該フレームを覆うシート本体と、該シート本体の座部に着座した子供の動きを規制する保護枠と、を備えたシートであって、
上記保護枠が、上記フレームに固定した手摺り枠と、上記手摺り枠に枢着した股ガードと、を備えており、
上記股ガードの一端部は上記手摺り枠を把持し、上記股ガードの他端部は上記フレームに取り外し可能に取り付けられていて、
上記股ガードの他端部を上記フレームから外すと、上記股ガードを上記手摺り枠まわりに回動させることができることを特徴とする、シート。
【請求項５】
前記シート本体に前記手摺り枠の各端部を通す一対の穴が形成されており、
前記手摺り枠が、各端部を前記フレームに固定されると共に、上記穴に挿入した部位を前記シート本体に支持されていて、
前記股ガードの他端部を前記フレームから外しても、前記手摺り枠が一定の姿勢を維持することを特徴とする、請求項４に記載のシート。
【請求項６】
前記シート本体が、前記座部と、背部と、該座部及び背部の両脇から立設した側壁部とを備え、前記座部と上記背部と上記側壁部とが一体に成形されていることを特徴とする、請求項４又は５に記載のシート。
【請求項７】
前記股ガードの他端部が前記フレームにボルトにより連結されていることを特徴とする、請求項４乃至６の何れかに記載のシート。
【請求項８】
フレームと、シート型に形成されていて上記フレームの前面上部を覆う上カバーと、上記フレームの前面下部を覆う下カバーと、上記上カバーの座部に着座した子供の動作を規制する保護枠と、を備えたシートであって、
上記保護枠が、上記フレームに固定した手摺り枠と、上記手摺り枠に枢着した股ガードと、を備えており、
上記股ガードの一端部は上記手摺り枠を把持し、上記股ガードの他端部は上記フレームに取り外し可能に取り付けられていて、
上記股ガードの他端部を上記フレームから外すと、上記股ガードを上記手摺り枠まわりに回動させることができることを特徴とする、シート。
【請求項９】
前記上カバーに前記手摺り枠の各端部を通す一対の穴が形成されており、
前記手摺り枠が、各端部を前記フレームに固定されると共に、上記穴に挿入した部位を前記上カバーに支持されていて、
前記股ガードの他端部を前記フレームから外しても、前記手摺り枠が一定の姿勢を維持することを特徴とする、請求項８に記載のシート。
【請求項１０】
前記上カバーの座部の前縁部には、前記股ガードの他端部を挿通する穴部が形成されており、
上記穴部には、取り外し可能にキャップが取り付けられており、
前記股ガードの他端部は前記フレームにボルトにより連結されていて、
上記キャップを外すと、前記股ガードの他端部を前記フレームに連結する上記ボルトが露呈することを特徴とする、請求項８又は９に記載のシート。
【請求項１１】
前記上カバーが、前記座部と、背部と、該座部及び背部の両脇から立設した側壁部とを備え、前記座部と上記背部と上記側壁部とが一体に成形されていることを特徴とする、請求項８乃至１０の何れかに記載のシート。
【発明の詳細な説明】
【技術分野】
【０００１】
本発明は、子供連れの保護者などが作業を行う際に勝手に子供が動き回らないように子供を一時的に座らせて子供の安全を図るための子供用椅子に関し、特に、所謂ガードと称される保護枠の取付構造及びそれを備えたシートに関する。
【背景技術】
【０００２】
大人が、子供を連れて公共施設、駅、デパート、役所、銀行などに出かけた場合、トイレや試着室での身繕い、現金自動預入支払機（ＡＴＭ：Ａｕｔｏｍａｔｉｃ  Ｔｅｌｌｅｒ  Ｍａｃｈｉｎｅ）やレジ（ｃｈｅｃｋｏｕｔ  ｃｏｕｎｔｅｒ）での精算などの際、子供と離れて身繕いや現金の支払い等を行うと、子供に目が届かなくなり、子供が迷子になったり、危険に晒される虞れがある。そのため、近年では、トイレや試着室等の個室の中に、また、現金自動預入支払機やレジなどの近接位置に子供用椅子が設置され、子供を子供用椅子に一時的に座らせて子供の安全を図っている。
【０００３】
図６は従来の子供用椅子５０を示す斜視図であり、子供用椅子５０は、座部５５Ａと背部５５Ｂとを備えたシート本体５５と、このシート本体５５の下部に設けた柱状の支持台５６と、シート本体５５に取り付けた手摺り枠５７と、座部５５Ａの前縁部と手摺り枠５７の中間部とに架設するように配設した股ガード５８と、を備えている。シート本体５５の背部５５Ｂにおいて、子供の頭部が当接する位置には、内部にクッション材を有するヘッドサポート５９が配設されている。図中のＦｒは子供用椅子５０の前方を、Ｕｐは子供用椅子５０の上方を、Ｗは子供用椅子５０の横幅方向を示す。
【０００４】
上記子供用椅子５０を使用するときには、座部５５Ａの上方から子供を手摺り枠５７と背部５５Ｂとの間に入れ、さらに子供の左右の各脚を座部５５Ａと手摺り枠５７と股ガード５８とで画成される左右の開口Ｓ’に入れて、子供を座部５５Ａに座らせる。子供を子供用椅子５０に座らせると、子供は、足を宙に浮かした状態で、手摺り枠５７と股ガード５８とによって立ち上がり動作や前傾しようとする動作等が規制される。よって、この子供用椅子５０では、手摺り枠５７と股ガード５８との協働により、子供用椅子５０に着座した子供の落下事故を防止することができる。
【０００５】
上記手摺り枠５７及び股ガード５８などの保護枠は、子供の落下防止を確保するために、子供の動作によって外れたり、子供が悪戯をしても外れたりしないようにするために、手摺り枠５７はシート本体５５にしっかりと固定されており、股ガード５８も手摺り枠５７とシート本体５５の座部５５Ａの前縁部にしっかりと固定されている。
【０００６】
ところで、保護者がトイレを使用している際などに、子供を一時的に座らせて子供の安全を図る装置として、当該トイレ内の壁面に取り付けて使用に供され、落下防止用の保護枠を有する子供用椅子が、特許文献１や特許文献２に開示されている。
【特許文献１】特開２００２−１４２９２４号公報
【特許文献２】実公平２−８０３９号公報
【発明の開示】
【発明が解決しようとする課題】
【０００７】
しかし、図６に示す子供用椅子５０は、手摺り枠５７がシート本体５５にしっかりと固定され、股ガード５８も手摺り枠５７とシート本体５５の座部５５Ａの前縁部にしっかりと固定されている。そのため、例えば、子供用椅子５０の使用対象年齢よりも大きい子供などがこの子供用椅子５０に無理に座った場合には、保護枠が障害となって子供が椅子５０から容易に降りることができない事態が生じる可能性がある。
【０００８】
子供が椅子５０からどうしても抜け出せないときは、例えば、手摺り枠５７や股ガード５８をシート本体５５から切断する等して手摺り枠５７や股ガード５８をシート本体５５から外さざるを得ない。即ち、子供用椅子５０を壊さない限り、保護枠を外すことができなかった。
【０００９】
本発明は、以上の点に鑑み、簡素な構造で、誤使用で大きな子供が子供用椅子に座って降りることができない場合等に、容易且つ安全に、椅子を壊すこと無く降りることができるようにした、保護枠の取付構造とそれを備えたシートを提供することを目的とする。
【課題を解決するための手段】
【００１０】
上記目的を達成するために、本発明は、シート型のカバーで覆われたフレームに、カバーの座部に着座した子供の動作を規制する保護枠を取り付ける構造であって、保護枠が、フレームに固定した手摺り枠と、手摺り枠に枢着した股ガードと、を備えており、股ガードの一端部は手摺り枠を把持し、股ガードの他端部はフレームに取り外し可能に取り付けられていて、股ガードの他端部をフレームから外すと、股ガードを手摺り枠まわりに回動させることができることを特徴としている。
【００１１】
本発明の保護枠取付構造て、好ましくは、前記カバーに手摺り枠の各端部を通す一対の穴が形成され、手摺り枠は、各端部がフレームに固定されると共に、カバーの穴に挿入した部位がカバーに支持されていて、股ガードの他端部をフレームから外しても、手摺り枠が一定の姿勢を維持する。
本発明の保護枠取付構造では、股ガードの他端部は、好ましくはフレームにボルトにより連結されている。
【００１２】
上記目的を達成するために、本発明のシートは、フレームと、このフレームを覆うシート本体と、シート本体の座部に着座した子供の動きを規制する保護枠とを備え、保護枠が、フレームに固定した手摺り枠と、手摺り枠に枢着した股ガードと、を備えており、股ガードの一端部にて手摺り枠を把持し、股ガードの他端部はフレームに取り外し可能に取り付けられていて、股ガードの他端部をフレームから外すと、股ガードを手摺り枠まわりに回動させることができることを特徴としている。
【００１３】
本発明のシートにおいて、好ましくは、シート本体に手摺り枠の各端部を通す一対の穴が形成されており、手摺り枠が、各端部をフレームに固定されると共に、カバーの穴に挿入した部位をシート本体に支持されていて、股ガードの他端部をフレームから外しても、手摺り枠が一定の姿勢を維持する。
前記シート本体は、好ましくは、座部と、背部と、座部及び背部の両脇から立設した側壁部とを備え、座部と背部と側壁部とが一体に成形されている。股ガードの他端部はフレームにボルトにより連結されていてもよい。
【００１４】
上記目的を達成するために、本発明は、フレームと、シート型に形成されていてフレームの前面上部を覆う上カバーと、フレームの前面下部を覆う下カバーと、上カバーの座部に着座した子供の動作を規制する保護枠と、を備えたシートであって、保護枠が、フレームに固定した手摺り枠と、手摺り枠に枢着した股ガードと、を備えており、股ガードの一端部は手摺り枠を把持し、股ガードの他端部はフレームに取り外し可能に取り付けられていて、股ガードの他端部をフレームから外すと、股ガードを手摺り枠まわりに回動させることができることを特徴としている。
【００１５】
好ましくは、上カバーに手摺り枠の各端部を通す一対の穴が形成され、手摺り枠は、各端部をフレームに固定されると共に、上記穴に挿入した部位を上カバーに支持されていて、股ガードの他端部をフレームから外しても、手摺り枠が一定の姿勢を維持する。
【００１６】
上カバーの座部の前縁部には、好ましくは、股ガードの他端部を挿通する穴部が形成されており、この穴部には、取り外し可能にキャップが取り付けられ、股ガードの他端部はフレームにボルトで連結されていて、キャップを外すと、股ガードの他端部をフレームに連結するボルトが露呈する。
上カバーは、好ましくは、座部と、背部と、座部及び背部の両脇から立設した側壁部とを備え、座部と背部と側壁部とが一体に成形されている。
【発明の効果】
【００１７】
本発明によれば、例えば、使用対象年齢以上の大きな子供が無理に座部に座って降りることができなくなった場合に、股ガードの先端のロックを解除して、股ガードを手摺り枠まわりに回動させて前方に持ち上げることで、子供の太股周辺等に加わる締め付けを解放することができる。これにより、子供は脚等を自由に動かすことができるようになって、容易に子供用椅子等のシートから降りることができる。
【００１８】
本発明においては、前述のような緊急時に股ガードを動かすことができるが、その際に手摺り枠自体はその姿勢が維持されて外れないので、股ガードが動いた反動で子供用椅子等のシートに座った子供がいきなり落下することも防止できる。このように、本発明によれば、子供は子供用椅子等のシートから安全に降りることが可能となる。
【００１９】
図６に示した従来の子供用椅子５０では、子供用椅子５０自体を壊さないと子供を降ろすことができなかったが、本発明によれば、子供用椅子等のシートの構造部品を壊すことなく、子供用椅子等のシートを簡単に操作することで、子供の救出ができる。
【００２０】
本発明に係る椅子が、例えば、施設の狭いトイレなどの個室に設置されている場合に、座部に座った子供が降りることができないときには、子供用椅子等のシートの前側からキャップを外して、股ガードとフレームとの連結を解除するだけで、股ガードを子供から容易に離すことができる。このように、狭い個室などに子供用椅子等のシートが設置されている場合にも、前方から股ガードを容易に外せるので、素早い対応が可能である。
【００２１】
本発明によれば、不特定多数の人々が利用する施設用製品である子供用椅子等のシートに誤使用があった場合の対応策が講じられていて、非常に安全である。
【発明を実施するための最良の形態】
【００２２】
以下、図面に基づいて、本発明の実施形態を説明する。
図１は本発明の実施形態に係る子供用椅子１０の斜視図、図２は図１の子供用椅子１０の分解斜視図、図３及び図４はそれぞれ図１の子供用椅子１０の部分後方斜視図である。図中のＦｒは子供用椅子１０の前方を、Ｕｐは子供用椅子１０の上方を、Ｗは子供用椅子１０の横幅方向を示す。
【００２３】
子供用椅子１０は、フレーム１００と、このフレーム１００に支持されていてフレーム１００の前面上部を覆う上カバー２００と、フレーム１００に支持されていてフレーム１００の前面下部を覆う下カバー３００と、フレーム１００に取り付けた保護枠４００と、を備えている。
【００２４】
先ず、フレーム１００について説明する。
フレーム１００は、縦長の四角型の枠材１１０と、この枠材１１０に横架した第１ブラケット１２０と、第１ブラケット１２０の上方で枠材１１０に横架した第２ブラケット１３０と、第２ブラケット１３０の上方で枠材１１０に横架した第３ブラケット１４０と、を備えている。
【００２５】
枠材１１０は、ベース１１１と、このベース１１１の両端からそれぞれ起立した断面Ｌ字型の縦フレーム部１１２Ｒ，１１２Ｌと、各縦フレーム部１１２Ｒ，１１２Ｌの上端部を連結する上辺部１１３と、から構成されている。ベース１１１には、例えば、ボルト（図示省略）を挿通するためのボルト穴１１１Ａが形成されており、このボルト穴１１１Ａを介してボルトを設置面５００に打ち込んで、ベース１１１を設置場所に固定するようになっている。
上辺部１１３には、その両端部から突出した延長部１１３Ｒ，１１３Ｌが形成されており、これらの延長部１１３Ｒ，１１３Ｌには、詳しくは後述するが保護枠４００の第１連結片４１１と連結するための第２連結片１１３Ａが形成されている。この第２連結片１１３Ａには図示を省略するがネジ穴が形成されている。
【００２６】
第１ブラケット１２０は、下カバー３００を支持するものであり、枠材１１０の一対の縦フレーム部１１２Ｒ，１１２Ｌに架設するように枠材１１０に固定されている。この第１ブラケット１２０は、各縦フレーム部１１２Ｒ，１１２Ｌに固定される一対の第１固着部１２１Ｒ，１２１Ｌと、各第１固着部１２１Ｒ，１２１Ｌの端部からそれぞれ枠材前方に向けて延出し第１固着部１２１Ｒ，１２１Ｌの端部から離れるにつれて略「ハ」の字状に互いの間隔が近づく一対の第１傾斜部１２２Ｒ，１２２Ｌと、各第１傾斜部１２２Ｒ，１２２Ｌの端部を連結する第１連結部１２３と、から構成されている。第１ブラケット１２０の第１連結部１２３には、第１のネジ穴１２３Ａが形成されている。
【００２７】
第２ブラケット１３０は、上下のカバー２００，３００を支持するものであると共に、保護枠４００の一部分を脱着可能に支持し、さらに、後述するシートの座部２１０を支持するものでもある。第２ブラケット１３０は、上記第１ブラケット１２０と同様に、枠材１００の一対の縦フレーム部１１２Ｒ，１１２Ｌに架設するように枠材１１０に固定されている。この第２ブラケット１３０は、各縦フレーム部１１２Ｒ，１１２Ｌに固定される一対の第２固着部１３１Ｒ，１３１Ｌと、各第２固着部１３１Ｒ，１３１Ｌの端部からそれぞれ枠材前方に向けて延出し第２固着部１３１Ｒ，１３１Ｌの端部から離れるにつれて略「ハ」の字状に互いの間隔が近づく一対の第２傾斜部１３２Ｒ，１３２Ｌと、各第２傾斜部１３２Ｒ，１３２Ｌの端部を連結する第２連結部１３３と、第２連結部１３３の下縁から延出した傾斜部１３４を介して第２連結部１３３に連設した延出部１３５と、各第２傾斜部１３２Ｒ，１３２Ｌと第２連結部１３３とで形成されるコーナー上に載置するように各第２傾斜部１３２Ｒ，１３２Ｌと第２連結部１３３とに固定した座面支持部１３６と、から構成されている。
【００２８】
上記第２連結部１３３には、一対の第１ガード固定用ネジ穴１３３Ａ，１３３Ａが形成されている。傾斜部１３４は、第２連結部１３３の下縁から後方下に向けて延出している。延出部１３５は、第２連結部１３３のプレート面と水平なプレート面を有し、このプレート面には第２のネジ穴１３５Ａが形成されている。座面支持部１３６は、第２連結部１３３のプレート面と直交する水平面状のプレート面を有し、このプレート面には後述する座部２１０が載置されるようになっている。
【００２９】
第３ブラケット１４０は、上カバー２００を支持するものであり、枠材１００の一対の縦フレーム部１１２Ｒ，１１２Ｌに架設するように枠材１１０に固定されている。この第３ブラケット１４０は、各縦フレーム部１１２Ｒ，１１２Ｌに固定される一対の第３固着部１４１Ｒ，１４１Ｌと、各第３固着部１４１Ｒ，１４１Ｌの端部からそれぞれ枠材前方に向けて延出し第３固着部１４１Ｒ，１４１Ｌの端部から離れるにつれて略「ハ」の字状に互いの間隔が近づく一対の第３傾斜部１４２Ｒ，１４２Ｌと、各第３傾斜部１４２Ｒ，１４２Ｌの端部を連結する第３連結部１４３と、から構成されている。
【００３０】
次に、上カバー２００について説明する。
上カバー２００は、子供を収容するためにシート型に形成されている。このため、上カバー２００は、座部２１０と、背部２２０と、座部２１０及び背部２２０の両脇から立設した側壁部２３０Ｒ，２３０Ｌと、を有し、これら座部２１０と背部２２０と一対の側壁部２３０Ｒ，２３０Ｌとは樹脂にて一体に成形されている。上カバー２００には、座部２１０と背部２２０と一対の側壁部２３０Ｒ，２３０Ｌとで子供を収容する空間Ｓが画成される。
【００３１】
上カバー２００の各側壁部２３０Ｒ，２３０Ｌには、後述する保護枠４００の手摺り枠４１０の各端部をそれぞれ挿通するための第１穴部２３１Ｒ，２３１Ｌがそれぞれ形成されている。座部２１０の前縁部には、後述する保護枠４００の股ガード４２０の端部を挿通する第２穴部２１１が形成されている。上カバー２００の下縁部にはフランジ２４０が形成されており、このフランジ２４０が下カバー３００の上縁部の内面に密着するように形成されている。また、フランジ２４０には、前記第２ブラケット１３０の延出部１３５の第２のネジ穴１３５Ａに対応した第３のネジ穴２４１Ａが形成されている。
【００３２】
上カバー２００の座面には、ウレタン等のパッド材を備えたクッション２５０が取り付けられ、上カバー２００の背部２２０における子供の頭部が当たる部位にはヘッドサポート２６０が取り付けられる。このヘッドサポート２６０は、例えば、ウレタン等のパッド材２６１と、このパッド材２６１の表面を覆う表皮材２６２と、から構成される。これらのクッション２５０やヘッドサポート２６０は、例えば、上カバー２００の座部２１０や背部２２０に両面接着テープ等の接着部材を用いて取り付けられる。
【００３３】
次に、下カバー３００について説明する。
下カバー３００はフレーム１００の下部を覆うものであり、例えば、略半円筒状に形成されている。下カバー３００は、上カバー２００と同じ合成樹脂にて成形されている。この下カバー３００には、第１ブラケット１２０の第１連結部１２３の第１のネジ穴１２３Ａに対応した第４のネジ穴３０１Ａが形成されている。さらに、下カバー３００には、第２ブラケット１３０の延出部１３５の第２のネジ穴１３５Ａと上カバー２００のフランジ２４０の第３のネジ穴２４１Ａとに対応した第５のネジ穴３０２Ａが形成されている。
【００３４】
次に、保護枠４００について説明する。
保護枠４００は、上カバー２００のシートに着座した子供が落下するのを防止するためのものである。この保護枠４００は、手摺り枠４１０と股ガード４２０とから構成されている。
【００３５】
手摺り枠４１０は略半円弧状に形成されており、その両端部にそれぞれ第１連結片４１１が取り付けられている（図３及び図４参照）。この第１連結片４１１にはネジ穴（図示省略）が形成されている。手摺り枠４１０の中間部位４１２は、例えば他の部位よりも若干太さが細く形成されている。この手摺り枠４１０の細い中間部位４１２に、股ガード４２０が回動可能に取り付けられている。即ち、股ガード４２０は、表部４２１と、この表部４２１の裏面に被着する裏部４２２と、から構成されており、これらの表部４２１と裏部４２２との対向する内面に上記手摺り枠４１０の中間部位４１２を回転可能に受容する受け部４２１Ａ，４２２Ａが形成されている。この構成により、手摺り枠４１０の細い中間部位４１２が、股ガード４２０の表部４２１及び裏部４２２に回転可能に挟持される。重ね合わせた表部４２１と裏部４２２とは、連通するネジ穴４２１Ｂ，４２２Ｂにネジ４３０を螺着させることで、一体になる。ネジ取付面はシール４４０で覆われ得る。
【００３６】
このようにして、股ガード４２０は、手摺り枠４１０に対して、回動することができるように取り付けられる。股ガード４２０の回動する先端部位には、フレーム１００に固定するための第３連結片４２３が形成されている。この第３連結片４２３には、第２ブラケット１３０の第２連結部１３３に形成した一対の第１ガード固定用ネジ穴１３３Ａに対応した一対の第２ガード固定用ネジ穴４２３Ａが形成されている。
【００３７】
上記の部材を用いた子供用椅子１０の組立手順の一例を下記に説明する。
先ず、フレーム１００を設置場所に置く。ベース１１１のボルト穴１１１Ａにボルト（図示省略）を通し、ボルトを設置面５００に打ち込んで、フレーム１００を設置面５００に固定する。
【００３８】
次に、フレーム１００の第２ブラケット１３０の座面支持部１３６に上カバー２００の座部２１０を載置して、フレーム１００の上部を上カバー２００で覆い、フレーム１００の下部を下カバー３００で覆う。このとき、上カバー２００の下縁部のフランジ２４０を下カバー３００の上縁部の内面に密着させて、上カバー２００の下縁部の表面と下カバー３００の上縁部の表面とが面一になるようにする。
【００３９】
上カバー２００の下縁部と下カバー３００の上縁部を重ねると、第２ブラケット１３０の延出部１３５の第２のネジ穴１３５Ａと上カバー２００のフランジ２４０の第３のネジ穴２４１Ａと下カバー３００の第５のネジ穴３０２Ａとがそれぞれ前後に重なるように配置される。これらの連通する第２のネジ穴１３５Ａと第３のネジ穴２４１Ａと第５のネジ穴３０２Ａとにネジ５０１を螺着させて、フレーム１００の第２ブラケット１３０に上カバー２００の下部と下カバー３００上部とを強固に固定する。
【００４０】
上記のように上カバー２００と下カバー３００とがフレーム１００を覆った状態では、フレーム１００の第１ブラケット１２０の第１連結部１２３が下カバー３００の第４のネジ穴３０１Ａの裏面に当接し、さらに、第１ブラケット１２０の第１のネジ穴１２３Ａと下カバー３００の第４のネジ穴３０１Ａとが連通するように前後に重なる。これらの連通する第１のネジ穴１２３Ａと第４のネジ穴３０１Ａとにネジ５０２を螺着させて、フレーム１００の第１ブラケット１２０に下カバー３００を強固に固定する。
【００４１】
次に、股ガード４２０を回動可能に支持した手摺り枠４１０の取付作業について説明する。
先ず、手摺り枠４１０の両端部をそれぞれ上カバー２００の各側壁部２３０Ｒ，２３０Ｌに形成した第１穴部２３１Ｒ，２３１Ｌに挿入する。第１穴部２３１Ｒ，２３１Ｌに挿入した手摺り枠４１０の各端部をフレーム１００の上辺部１１３の延長部１１３Ｒ，１１３Ｌに近接させる。
【００４２】
手摺り枠４１０の第１連結片４１１と上辺部１１３の第２連結片１１３Ａを重ね合わせて、それらのネジ穴を連通させた状態にした後、図３及び図４に示すように、そのネジ穴にネジ５０３を螺着させる。これにより、手摺り枠４１０の端部がフレーム１００に固定される。手摺り枠４１０の第１連結片４１１と上辺部１１３の第２連結片１１３Ａとをネジ５０３で連結させる際に、図２に示すように、スプリング状のワッシャー５０４やリング状のワッシャー５０５を介在させると良い。図３では、上カバー２００の左側の裏面に細幅で縦長のバックカバー２９０が取り付けられている状態が示されており、手摺り枠４１０の左端部の第１連結片４１１が上片部１１３の左側の第２連結片１１３Ａにネジ５０３によって固定されている連結構造は、バックカバー２９０に覆われて外部に露呈していない。同様に、上カバー２００の右側の裏面にもバックカバーを取り付ける。
【００４３】
手摺り枠４１０の端部をフレーム１００に固定した状態では、手摺り枠４１０の端部に近接した手摺り枠４１０の部位が、上カバー２００の各側壁部２３０Ｒ，２３０Ｌに形成した第１穴部２３１Ｒ，２３１Ｌに密着して支持されているので、手摺り枠４１０は、その姿勢が維持される。即ち、手摺り枠４１０は、動かないように、フレーム１００と上カバー２００とに強固に固定されている。
【００４４】
次に、股ガード４２０を手摺り枠４１０まわりに回動させて、股ガード４２０の端部に形成されている第３連結片４２３を、座部２１０の前縁部に形成されている第２穴部２１１に入れる。この第３連結片４２３を、第２ブラケット１３０の第２連結部１３３に当接させる。このように、第３連結片４２３が第２連結部１３３に当接した状態では、第２連結部１３３に形成した各第１ガード固定用ネジ穴１３３Ａ，１３３Ａと、第３連結片４２３に形成した各第２ガード固定用ネジ穴４２３Ａ，４２３Ａとが連通するように前後に重なることになる。
【００４５】
これらの第１ガード固定用ネジ穴１３３Ａ，１３３Ａと第２ガード固定用ネジ穴４２３Ａ，４２３Ａとにネジ５０６，５０７を螺着して、股ガード４２０の先端部をフレーム１００に固定する。第３連結片４２３と第２連結部１３３とをネジ５０６，５０７で連結させる際に、図２に示すように、スプリング状のワッシャー５０８，５０９やリング状のワッシャー５１０，５１１を介在させると良い。
その後、第２連結部１３３と第３連結片４２３との連結構造が外部に露呈するのを避けるために、第２穴部２１１にキャップ２７０を取り付ける。キャップ２７０は、第２穴部２１１の開口縁と同形状の輪郭を有し、第２穴部２１１に嵌まるように形成される。
【００４６】
第２連結部１３３と第３連結片４２３とが連結されることで、股ガード４２０も一定の姿勢を維持することになる。即ち、股ガード４２０は、動かないように、先端部位をフレーム１００に固定される。よって、保護枠全体が、フレーム１００及び上カバー２００にしっかりと固定される。
【００４７】
次に、クッション２５０やヘッドサポート２６０を、上カバー２００の座部２１０や背部２２０に両面接着テープなどの接着部材を用いて取り付ける。子供用椅子１０の使用についての注意書きを記載したシート２８０を背部２２０のシート貼着部２２１に、例えば、両面接着テープなどの接着部材を用いて取り付ける。
上カバー２００の背部２２０には凹部２２２が形成されており、この凹部２２２の底部にはボルト穴２２２Ａが形成されている。例えば、このボルト穴２２２Ａにボルト（図示省略）をカバー表側から挿通すると共に、上カバー２００の背面に位置する取付壁面に打ち込むことで、上カバー自体を取付箇所の壁面に固定してもよい。
下カバー３００の第４のネジ穴３０１Ａと第５のネジ穴３０２Ａには、それらに螺着したネジが外部に露呈するのを避けるために、それらの穴３０１Ａ，３０２Ａにそれぞれ蓋５２１，５２２を取り付ける。
このようにして、本発明の実施形態に係る子供用椅子１０の組立が完了する。
【００４８】
このように構成された子供用椅子１０の使用方法について以下説明する。
普通に子供用椅子１０を使用するときには、クッション２５０の上方から子供を手摺り枠４１０と背部２２０との間に入れ、さらに子供の左右の各脚を座部２１０と手摺り枠４１０と股ガード４２０とで画成される左右の開口Ｓ’（図１参照）に入れて、子供をクッション２５０に着座させる。
【００４９】
子供を子供用椅子１０に着座させると、子供は足を宙に浮かした状態になり、手摺り枠４１０と股ガード４２０とによって立ち上がり動作や前傾しようとする動作等が規制される。よって、この子供用椅子１０では、手摺り枠４１０と股ガード４２０との協働により、子供用椅子１０に着座した子供が子供用椅子１０から落下すること等を防止できる。
【００５０】
ここで、例えば、子供用椅子１０の使用対象年齢以上の大きい子供が、クッション２５０の上方から手摺り枠４１０と背部２２０との間に入り、さらに左右の各脚を座部２１０と手摺り枠４１０と股ガード４２０とで画成される左右の開口Ｓ’に入れて、クッション２５０に無理に座った場合には、例えば、太股周辺が座部２１０と手摺り枠４１０と股ガード４２０とによる締め付けを受けて、脚等を自由に動かすことができない事態が生じ得る。
【００５１】
大きな子供が子供用椅子１０に着座して、脚等の動きをロックされて降りることができなくなった場合には、先ず、座部２１０の前縁に形成した第２穴部２１１を閉塞するキャップ２７０を外す。キャップ２７０を外すと、第２連結部１３３と第３連結片４２３との連結構造が現れるので、第２連結部１３３と第３連結片４２３とを連結するネジ５０６，５０７を外す。これにより、股ガード４２０の先端のロックが解除されるので、図５に示すように、股ガード４２０を手摺り枠４１０まわりに回動させて、股ガード４２０の先端部を前方に持ち上げる。
【００５２】
クッション２５０に着座した子供は、股ガード４２０が前方に移動することで、太股周辺等に加わる圧迫から開放される。これにより、子供は脚等に対する締め付けが無くなり自由に脚等を動かすことができるようになる。よって、子供は子供用椅子１０から楽に且つ安全に降りることができる。
【００５３】
本発明の実施形態に係る子供用椅子１０によれば、例えば、使用対象年齢以上の大きな子供が無理に座部２１０に着座して降りることができなくなった場合に、股ガード４２０の先端のロックを解除して、股ガード４２０を手摺り枠４１０まわりに回動させて前方に持ち上げることで、子供の太股周辺等に加わる締め付けを解放することができ、子供は脚等を自由に動かすことができるようになって、容易に子供用椅子１０から降りることができるようになる。
【００５４】
本発明の実施形態に係る子供用椅子１０においては、前述のように緊急時に股ガード４２０を動かすことができるが、その際に手摺り枠４１０自体はその姿勢が維持されて外れないので、股ガード４２０が動いた反動で子供用椅子１０に座った子供がいきなり落下することも防止できる。このように、本発明の実施形態に係る子供用椅子１０によれば、子供は子供用椅子１０から安全に降りることが可能となる。
【００５５】
図６に示す従来の子供用椅子５０では、子供用椅子５０自体を壊さないと子供を降ろすことができなかったが、本発明によれば、子供用椅子１０の構造部品を壊すことなく、子供用椅子１０を簡単に操作することで、椅子から降りることができなくなった子供の救出を行える。
【００５６】
本発明の実施形態に係る子供用椅子１０が、例えば、施設の狭いトイレなどの個室に設置されている場合、座部２１０に座った子供が降りることができないときには、子供用椅子１０の前側からキャップ２７０を外して、第２連結部１３３と第３連結片４２３との連結を解除するだけで、股ガード４２０を子供から容易に離すことができる。このように、狭い個室などに子供用椅子１０が設置されている場合にも、前方から股ガード４２０を容易に外せるので、素早い対応が可能である。
【００５７】
このように、本発明の子供用椅子１０は、不特定多数の人々が利用する施設用製品であるから誤使用の場合にもその対応策が講じられていて、非常に安全である。
【００５８】
以上説明したが、本発明はその趣旨を逸脱しない範囲において様々な形態で実施することができる。上記実施形態では、地面及び壁面に固定された子供用椅子、即ち、接地面に固定される脚部を備えた子供用椅子に本発明の股ガードの取付構造を適用した場合を説明したが、脚部を備えずに、シート部を壁面に固定し、接地面に接触する脚部を備えない子供用椅子に適用することができることは勿論である。
【００５９】
本発明が適用さ得る椅子のシート本体は、少なくとも座部と背部とを備えていればよく、必ずしも側壁部を備える必要はない。すなわち、本発明は、座部と背部とを有するシート本体と、シート本体を支持するフレームと、フレームに取り付けた保護枠とを備えたシートにおいて、保護枠が、フレームに固定した手摺り枠と、手摺り枠に一端部が回動可能に支持された股ガードとを備えていて、股ガードの先端部が脱着可能にフレームに取り付けるように構成されていてもよい。
【００６０】
子供用椅子１０の組立は作業は、設置場所で直接組み立ててもよく、予め組み立てた子供用椅子１０を設置場所に搬入して設置場所に固定するようにしてもよい。
【００６１】
また、本発明の保護枠の取付構造を、トイレ、休憩室、着替室などに据え付けて使用する子供用椅子に適用した場合を説明したが、例えば、ショッピングカートに装備した保護枠付きのチャイルドシートにおいても適用でき、また、屋内で使用する移動可能なハイチェア等の座席とそれに取り付けた保護枠との連結構造にも適用することができることは勿論である。
【図面の簡単な説明】
【００６２】
【図１】本発明の実施形態に係る子供用椅子の斜視図である。
【図２】図１の子供用椅子の分解斜視図である。
【図３】図１の子供用椅子の部分後方斜視図である。
【図４】図１の子供用椅子の部分後方斜視図である。
【図５】図１の子供用椅子の使用状態を示す斜視図である。
【図６】従来の子供用椅子の斜視図である。
【符号の説明】
【００６３】
１０  子供用椅子
１００  フレーム
１１０  枠材
１１１  ベース
１１１Ａ  ボルト穴
１１２Ｒ，１１２Ｌ  縦フレーム部
１１３  上辺部
１１３Ａ  第２連結片
１１３Ｒ，１１３Ｌ  延長部
１２０  第１ブラケット
１２１Ｒ，１２１Ｌ  第１固着部
１２２Ｒ，１２２Ｌ  第１傾斜部
１２３  第１連結部
１２３Ａ  第１のネジ穴
１３０  第２ブラケット
１３１Ｒ，１３１Ｌ  第２固着部
１３２Ｒ，１３２Ｌ  第２傾斜部
１３３  第２連結部
１３３Ａ  第１ガード固定用ネジ穴
１３４  傾斜部
１３５  延出部
１３５Ａ  第２のネジ穴
１３６  座面支持部
１４０  第３ブラケット
１４１Ｒ，１４１Ｌ  第３固着部
１４２Ｒ，１４２Ｌ  第３傾斜部
１４３  第３連結部
２００  上カバー
２１０  座部
２１１  第２穴部
２２０  背部
２２１  シート貼着部
２２２  凹部
２２２Ａ  ボルト穴
２３０Ｒ，２３０Ｌ  側壁部
２３１Ｒ，２３１Ｌ  第１穴部
２４０  フランジ
２４１Ａ  第３のネジ穴
２５０  クッション
２６０  ヘッドサポート
２６１  パッド材
２６２  表皮材
２７０  キャップ
２８０  シート
３００  下カバー
３０１Ａ  第４のネジ穴
３０２Ａ  第５のネジ穴
４００  保護枠
４１０  手摺り枠
４１１  第１連結片
４１２  中間部位
４２０  股ガード
４２１  表部
４２１Ａ，４２２Ａ  受け部
４２１Ｂ，４２２Ｂ  ネジ穴
４２２  裏部
４２３  第３連結片
４２３Ａ  第２ガード固定用ネジ穴
４３０  ネジ
４４０  シール
５００  設置面
５０１，５０２，５０３，５０６，５０７  ネジ
５０４，５０５，５０８，５０９，５１０，５１１  ワッシャー
５２１，５２２  蓋
Ｓ  空間
Ｓ’  開口
【図１】
2007236490.tif 000003
【図２】
2007236490.tif 000004
【図３】
2007236490.tif 000005
【図４】
2007236490.tif 000006
【図５】
2007236490.tif 000007
【図６】
2007236490.tif 000008